(57)【要約】【課題】  使用時（装着時）の巻きずれが少ないとともに、不使用時（収納時）に薄型化できる血圧計を提供する。【解決手段】  カフ帯１１の検出部１３を手首１等の測定部位に当てがって、検出部１３で血圧測定を行う血圧計１０Ａであって、カフ帯１１の検出部１３の上部に、物理的な外力によって、直線形状と円弧形状とに交互に可逆的に変形して、その形状を自己保持が可能な弾性体板１５を介設している。  前記弾性体板１５は板ばね材であり、この板ばね材は、直線形状の時は、正面断面が直線状で側面断面が下向き凸の浅い円弧状に変形して、その形状を自己保持するとともに、円弧形状の時は、正面断面が上向き凸の深い円弧状で側面断面が直線状に変形して、その形状を自己保持するように形成している。【選択図】  図１
2006198280.tif 000002
【特許請求の範囲】
【請求項１】
カフ帯の検出部を手首等の測定部位に当てがって、検出部で血圧測定を行う血圧計であって、
前記カフ帯の検出部の上部に、物理的な外力によって、直線形状と円弧形状とに交互に可逆的に変形して、その形状を自己保持が可能な弾性体板を介設したことを特徴とする血圧計。
【請求項２】
前記弾性体板は板ばね材であり、この板ばね材は、直線形状の時は、正面断面が直線状で側面断面が下向き凸の浅い円弧状に変形して、その形状を自己保持するとともに、円弧形状の時は、正面断面が上向き凸の深い円弧状で側面断面が直線状に変形して、その形状を自己保持するように形成していることを特徴とする請求項１記載の血圧計。
【請求項３】
前記弾性体板は、直線形状で、カフ帯内をスライド可能、またはカフ帯内から取り出し可能であることを特徴とする請求項２記載の血圧計。
【発明の詳細な説明】
【技術分野】
【０００１】
本発明は、使用時（装着時）の巻きずれが少ないとともに、不使用時（収納時）に薄型化できる血圧計に関する。
【背景技術】
【０００２】
従来、カフ帯の阻血袋を測定部位（手首、上腕、足首等）に当てがって、阻血袋の膨張で動脈を圧迫阻血して血圧測定を行う血圧計がある（オシロメトリック法）。
【０００３】
前記のような血圧計において、巻きずれによって阻血袋（検出部）が手首等の適切な位置に無いと、正確な血圧測定ができないことから、断面が略Ｃ字形状に湾曲した弾性体板（クリップ板）を設けて、手首等に阻血袋を巻き付ける際の巻きずれを少なくさせるようにしたものがある（特許文献１）。
【０００４】
また、剛性を有する略リング状の固定具をヒンジで連結して、阻血袋の膨張を安定させるようにしたものがある（特許文献２）。
【特許文献１】特許第３２３５６０２号公報
【特許文献２】特開２００４−８２４０号公報
【発明の開示】
【発明が解決しようとする課題】
【０００５】
しかしながら、前記従来の弾性体板や固定具は、いずれも湾曲状に形成されていて、不使用時でも血圧計全体の厚みが薄くならないので、携帯性が悪いという問題があった。
【０００６】
本発明は、前記問題を解消するためになされたもので、使用時（装着時）の巻きずれが少ないとともに、不使用時（収納時）に薄型化できる血圧計を提供することを目的とするものである。
【課題を解決するための手段】
【０００７】
前記課題を解決するために、本発明の血圧計は、カフ帯の検出部を手首等の測定部位に当てがって、検出部で血圧測定を行う血圧計であって、前記カフ帯の検出部の上部に、物理的な外力によって、直線形状と円弧形状とに交互に可逆的に変形して、その形状を自己保持が可能な弾性体板を介設したことを特徴とするものである。
【０００８】
前記円弧形状とは、必ずしも全体が円弧（湾曲）である必要は無く、六角形や八角形等の多角で円弧形状に変形するものも含まれる。また、円弧と多角とを組み合わせて、円弧形状に変形するものも含まれる。
【０００９】
血圧計の装着操作を簡便にするために、前記弾性体板は板ばね材であり、この板ばね材は、直線形状の時は、正面断面が直線状で側面断面が下向き凸の浅い円弧状に変形して、その形状を自己保持するとともに、円弧形状の時は、正面断面が上向き凸の深い円弧状で側面断面が直線状に変形して、その形状を自己保持するように形成している構成とすることができる。
【００１０】
カフ帯をよりコンパクトに折り畳むために、前記弾性体板は、直線形状で、カフ帯内をスライド可能、またはカフ帯内から取り出し可能である構成とすることができる。
【発明の効果】
【００１１】
本発明によれば、物理的な外力によって、使用時（装着時）に弾性体板を円弧形状に変形させれば、カフ帯を手首等に装着する時に引っ掛かるために巻きずれが少なくなって、正確な血圧測定ができるようになる。また、物理的な外力によって、不使用時（収納時）に弾性体板を直線形状に変形させれば、全体の厚みが薄くなって血圧計を薄型化できるので、携帯性が良好になる。
【発明を実施するための最良の形態】
【００１２】
以下、本発明を実施するための最良の形態について、図面を参照しながら詳細に説明する。
【００１３】
図１〜図５は、第１実施形態の血圧計１０Ａであり、図１（ａ）は使用時（装着時）の正面断面図、図１（ｂ）は不使用時（収納時）の正面断面図、図２は使用直前の正面断面図である。
【００１４】
前記血圧計１０Ａは、カフ帯１１と血圧計本体１２とで構成されている。前記カフ帯１１は、柔らかい内布１１ａと硬い外布１１ｂとが袋状に縫製されて、その内部には阻血袋１３（検出部）が介設されるとともに、この阻血袋１３とカフ帯１１の外布１１ｂとの間（阻血袋１３の上部）に、物理的な外力または刺激によって、直線形状と円弧形状とに交互に可逆的に変形して、その形状を自己保持が可能な弾性体板（クリップ材）１５を介設している。この弾性体板１５については、後で詳細に説明する。なお、検出部としての阻血袋１３に代えて、圧電素子、光電素子、超音波素子等のセンサーによる検出部であっても良い。
【００１５】
前記カフ帯１１の外布１１ｂの一端側の外面には、面ファスナーのフック部（若しくはループ部）１６ａが貼付けられ、外布１１ｂの他端側に接続した固定帯１７の内面には、面ファスナーのループ部（若しくはフック部）１６ｂが貼付けられている。ここで、面ファスナーとは、フック部１６ａとループ部１６ｂとが対をなして、両者を強く圧迫すると、フック部１６ａとループ部１６ｂとが相互に外れにくいように係止されるとともに、フック部１６ａとループ部１６ｂとを手で強く引き剥がすと、フック部１６ａとループ部１６ｂとの係止が外れるものをいい、メカニカルファスナーとも呼ばれている。
【００１６】
そして、図１（ａ）のように、弾性体板１５を円弧（Ｃ字）形状に変形させて手首１に引っ掛け、阻血袋１３を手首１の手掌側に当てがった状態で、カフ帯１１を手首１に巻き付けて、面ファスナーのフック部１６ａとループ部１６ｂとでずれないように固定する。
【００１７】
前記血圧計本体１２は、前記カフ帯１１の上部位置に固定されて、この血圧計本体１２内には、図３に詳細に示すように、ポンプ１８、排気弁１９、圧力センサー２０等が設けられ、これらは、阻血袋１３に対して空気を給排するための配管２１で接続されるとともに、制御部２２によって作動タイミングが制御されるようになる。
【００１８】
すなわち、スイッチをオンして血圧の測定を開始すると、ポンプ１８から配管２１を介して阻血袋１３に空気が供給されて、阻血袋１３が所定の圧力に達するまで手首１を圧迫して、橈骨動脈２と尺骨動脈３とを阻血する。そして、圧力センサー２０で所定の圧力に達したことが確認されると、ポンプ１８を停止し、排気弁１９により一定速度で減圧するように阻血袋１３の空気が排出される。同時に橈骨動脈２と尺骨動脈３の脈波成分をフィルター等により抽出して、所定のアルゴリズムを用いて血圧値を算出する。なお、５は橈骨、６は尺骨である。
【００１９】
前記弾性体板１５は、手首１の円周方向に長い長方形状の金属若しくは合成樹脂製の板ばね材であり、図４（ａ）に示す直線形状の時は、図４（ｂ）に示す正面断面〔図４（ａ）のＡ−Ａ線断面〕が直線状で、図４（ｃ）に示す側面断面〔図４（ａ）のＢ−Ｂ線断面〕が下向き凸の浅い円弧状に変形して、その形状を自己保持するとともに、図５（ａ）に示す円弧形状の時は、図５（ｂ）に示す正面断面〔図５（ａ）のＣ−Ｃ線断面〕が上向き凸の深い円弧状で、図５（ｃ）に示す側面断面〔図５（ａ）のＤ−Ｄ線断面〕が直線状に変形して、その形状を自己保持するように形成している。
【００２０】
すなわち、弾性体板１５は、板ばね材の可逆的な変形特性を利用して、図４の直線形状にある場合、長さ方向の中間部の支点Ｏの両側部分に、円弧形状との間にある反転ポイントを越える物理的な外力Ｆを加えると、支点Ｏを中心として回転モーメントが働いて、自身のばね力で図５の円弧形状に変形して、その形状を自己保持するようになる。
【００２１】
また、図５の円弧形状にある場合、長さ方向の中間部の支点Ｏの両側部分に、直線形状との間にある反転ポイントを越える物理的な外力Ｆを加えると、支点Ｏを中心として回転モーメントが働いて、自身のばね力で図４の直線形状に変形して、その形状を自己保持するようになる。なお、支点Ｏや外力Ｆの位置は、前記例示に限られるものでは無い。
【００２２】
前記弾性体板１５は、円弧形状の時に、手首１の片側において、表側から裏側までに達する長さＬ１〔図１１（ａ）参照〕を有して、一端部１５ａが前記血圧計本体１２に固定されている。
【００２３】
第１実施形態の血圧計１０Ａで血圧を測定する際には、図１（ｂ）の不使用時（収納時）の状態で、弾性体板１５の他端部１５ｂに外力Ｆを加えると、弾性体板１５は、図２の使用直前の状態のように円弧（Ｃ字）形状に変形して、その形状を自己保持するから、この円弧形状に変形した弾性体板１５を手首１の片側に引っ掛けて、図１（ａ）の使用時（装着時）のように、阻血袋１３を手首１の手掌側に当てがった状態で、カフ帯１１を手首１に巻き付けて、固定帯１７の面ファスナーのループ部１６ｂをカフ帯１１の面ファスナーのフック部１６ａに係止することで、手首１にカフ帯１１をずれないように固定できるようになる。
【００２４】
第１実施形態の血圧計１０Ａであれば、物理的な外力Ｆによって、使用時（装着時）に弾性体板１５を円弧形状に変形させれば、カフ帯１１を手首１に装着する時に引っ掛かるために巻きずれが少なくなって、正確な血圧測定ができるようになる。
【００２５】
また、物理的な外力Ｆによって、不使用時（収納時）に弾性体板１５を直線形状に変形させれば〔図１（ｂ）の状態〕、カフ帯１１を血圧計本体１２と弾性体板１５との裏面側に偏平に折り畳むことができるので（二点鎖線ａ参照）、全体の厚みが薄くなって血圧計１０Ａを薄型化できるので、携帯性が良好になる。
【００２６】
また、弾性体板１５を板ばね材で形成したから、直線形状にある場合、円弧形状との間にある反転ポイントを越える物理的な外力Ｆを加えると、弾性体板１５は、その後は、自身のばね力で円弧形状に変形して、手首１に自動的に巻き付く（引っ掛かる）ことになるので、血圧計１０Ａの装着操作が簡便になる。
【００２７】
図６は、第２実施形態の血圧計１０Ｂであり、（ａ）は血圧計本体１２の側面図、（ｂ）は不使用時（収納時）の正面断面図である。
【００２８】
前記血圧計１０Ｂの血圧計本体１２の下部には、左右方向に貫通する開口部１２ａが形成され、前記弾性体板１５は、外布１１ｂとともに開口部１２ａ内に嵌め込まれて、弾性体板１５がカフ帯１１内を左右方向にスライド可能になっている。
【００２９】
そして、不使用時（収納時）の状態〔図１（ｂ）参照〕から、図６（ｂ）のように、弾性体板１５をカフ帯１１内で開口部１２ａ内の左右均等な位置付近までスライドさせて引っ込めると、直線形状の弾性体板１５が邪魔にならなくなるので、カフ帯１１を弾性体板１５の裏面側に、よりコンパクトに折り畳むことができる。
【００３０】
前記血圧計１０Ｂでは、弾性体板１５を手探りでカフ帯１１内をスライドさせるようになっているが、弾性体板１５に突起部を設け、この突起部を外布１１ｂに形成したスリット（不図示）から外部に突出させて、突起部に指を引っ掛けて弾性体板１５をスライド操作することもできる。また、この突起部をストッパーとして利用して、弾性体板１５の左右方向のスライド位置を規制することもできる。
【００３１】
さらに、弾性体板１５をカフ帯１１のスリットから外部に取り出せるようにすれば、血圧計１０Ｂの不使用時（収納時）には、直線形状の弾性体板１５が無くなるので、カフ帯１１を血圧計本体１２の裏面側に、より一層コンパクトに折り畳むことができる。
【００３２】
図７は、第３実施形態の血圧計１０Ｃであり、（ａ）は不使用時（収納時）の正面断面図、（ｂ）は（ａ）の平面図、（ｃ）は使用時（装着時）の正面断面図である。なお、以下の実施形態では、簡略化のためにカフ帯１１の図示は省略している。
【００３３】
前記血圧計本体１２内には、スプリング２４ａで上方に付勢された操作板２４ｂの上面にボタン２４ｃが設けられるとともに、前記操作板２４ｂの下面の左右位置に押圧部２４ｄが設けられている。また、前記弾性体板１５は、円弧形状の時に、手首１の表側中央から両側に向かって裏側に達する長さＬ２〔図１１（ｂ）参照〕を有して、長さ方向の中間部が前記血圧計本体１２に固定されている。
【００３４】
そして、図７（ａ）の不使用時（収納時）の状態から、スプリング２４ａの付勢力に抗してボタン２４ｃを押すと、操作板２４ｂの下降で押圧部２４ｄが弾性体板１５の両側部分に外力Ｆ〔図４（ｂ）参照〕を加えるので、弾性体板１５は、図７（ｃ）の使用時（装着時）のように、円弧（Ｃ字）形状に変形して、その形状を自己保持するから、カフ帯１１が手首１に自動的に巻き付くようになる。なお、ボタン２４ｃは手動式であるが、スイッチ操作で電気的に押されるされる自動式であっても良く、押圧部２４ｄは弾性体でも剛体でも構わない。
【００３５】
図８は、第４実施形態の血圧計１０Ｄであり、（ａ）は不使用時（収納時）の正面断面図、（ｂ）は使用時（装着時）の正面断面図である。
【００３６】
前記弾性体板１５は、熱、電流、光、化学物質、磁気等の刺激で、直線形状と円弧形状とに可逆的に変形して、その形状を自己保持が可能な形状記憶性材料であり、例えばＴｉ−Ｎｉのような形状記憶合金等がある。形状記憶性材料は、例えば熱の刺激で変形するタイプでは、室温で変形しても、室温を越える温度に上げると元の形に戻ることが知られている。
【００３７】
本実施形態の弾性体板１５は、室温状態で直線形状に変形するとともに、室温を越える高温状態で円弧状に変形するように形成している。
【００３８】
前記血圧計本体１２内には、スプリング２５ａで上方に付勢された操作板２５ｂの上面にボタン２５ｃが設けられるとともに、前記操作板２５ｂの下面の左右位置に電極２５ｄが設けられている。また、前記弾性体板１５は、円弧形状の時に、手首１の表側中央から両側に向かって裏側に達する長さＬ２〔図１１（ｂ）参照〕を有して、長さ方向の中間部が前記血圧計本体１２に固定されている。
【００３９】
そして、図８（ａ）の不使用時（収納時）の状態から、スプリング２５ａの付勢力に抗してボタン２５ｃを押すと、操作板２５ｂの下降で電極２５ｄが弾性体板１５の両側部分に接触して通電され、弾性体板１５が室温を越える高温に加熱されることで、図８（ｂ）の使用時（装着時）のように、円弧（Ｃ字）形状に変形して、その形状を自己保持するから、カフ帯１１が手首１に自動的に巻き付くようになる。なお、弾性体板１５と阻血袋１３との間に断熱材２７を設けて、手首１に熱が伝わりにくくしている。
【００４０】
また、血圧の測定終了後は、ボタン２５ｃを離すと、操作板２５ｂの上昇で電極２５ｄの通電がオフされるので、弾性体板１５が時間の経過で室温に戻ることで、再び図８（ａ）の不使用時（収納時）の直線状に変形して、その形状を自己保持するようになるから、全体の厚みが薄くなって血圧計１０Ｄを薄型化できるので、携帯性が良好になる。
【００４１】
前記形状記憶性材料は、形状記憶合金の代わりに、ポリエステル、ポリウレタンなどの形状記憶樹脂を用いても良い。また、熱による刺激に限らず、電流、光、ｐＨ変化、磁気等の刺激で形状変化する形状記憶性材料であっても良い。
【００４２】
第４実施形態の血圧計１０Ｄであれば、弾性体板１５を形状記憶性材料で形成することにより、物理的な外力を加えることなく、熱等の刺激を加えるだけで、直線形状と円弧状形状とに可逆的に変形するようになる。
【００４３】
図９は、第５実施形態の血圧計１０Ｅであり、（ａ）は不使用時（収納時）の正面断面図、（ｂ）は使用時（装着時）の正面断面図である。
【００４４】
前記弾性体板１５は、第４実施形態の血圧計１０Ｄと同様に、室温状態で直線形状に変形するとともに、室温を越える高温状態で円弧状に変形するように形成している。
【００４５】
前記血圧計本体１２内には、弾性体板１５を加熱する加熱回路部３０と、受信側コイル３１とが設けられている。
【００４６】
前記血圧計１０Ｅとは別に、手首１を置く窪み３２ａを有する固定台３２が設けられ、この窪み３２ａの表面にスイッチ３３が設けられるとともに、前記固定台３２の内部に、送信側コイル３４と、この送信側コイル３４に高周波電流を供給する供給源３５とが組み込まれている。
【００４７】
そして、図９（ａ）の不使用時（収納時）の状態から、手首１を固定台３２の窪み３２ａに置くと、手首１でスイッチ３３がオンされて供給源３５から送信側コイル３４に高周波電流が供給されて電磁波が放出され、この電磁波は、手首１を通り抜けて、血圧計本体１２の受信側コイル３１で受信されると、加熱回路部３０が作動して、弾性体板１５を加熱するようになる。この加熱で弾性体板１５は、図９（ｂ）の使用時（装着時）のように、円弧（Ｃ字）形状に変形して、その形状を自己保持するから、カフ帯１１が手首１に自動的に巻き付くようになる。そして、固定台３２に設けられたヒンジ板３６を起こして、このヒンジ板３６にカフ帯１１（不図示）を前記のような面ファスナーで係止することにより、カフ帯１１を手首１に完全に固定できるようになる。
【００４８】
また、血圧の測定終了後は、手首１を固定台３２の窪み３２ａから離すと、スイッチ３３がオフされるので、弾性体板１５が時間の経過で室温に戻ることで、再び図９（ａ）の不使用時（収納時）の直線状に変形して、その形状を自己保持するようになる。
【００４９】
第５実施形態の血圧計１０Ｅであれば、第４実施形態の血圧計１０Ｄの効果に加えて、固定台３２に手首１を置くだけで、カフ帯１１が手首１に自動的に巻き付くことから、操作が簡便で使い勝手が良くなる。
【００５０】
また、カフ帯１１側とは別体の供給源３５等からの刺激で弾性体板１５を可逆的に変形させるので、カフ帯１１側を軽量化できるようになる。
【００５１】
前記手首１は、手掌側が細く肘側が太いことから、前記各実施形態において、図１０に示すように、弾性体板１５の両端部１５ａ，１５ｂに、手掌側が狭く肘側が広くなるような勾配を付けることで、手首１に巻き付けた時に、手首１との密着性が良くなる。
【００５２】
第１、２実施形態の血圧計１０Ａ，１０Ｂの弾性体板１５は、図１１（ａ）のように、円弧形状の時に、手首１の片側において、表側から裏側までに達する長さＬ１を有しているから、手首１に装着する時に引っ掛かるために巻きずれが少なくなって、正確な血圧測定ができるようになる。
【００５３】
第３〜５実施形態の血圧計１０Ｃ〜１０Ｅの弾性体板１５は、図１１（ｂ）のように、円弧形状の時に、手首１の表側中央から両側に向かって裏側に達する長さＬ２を有しているから、手首１に対して阻血袋１３を完全に固定することができるので、より正確な血圧測定ができるようになる。
【００５４】
前記各実施形態の説明では、測定部位を手首１としたが、上腕、足首、指等であっても良いことは言うまでもない。
【図面の簡単な説明】
【００５５】
【図１】本発明の第１実施形態の血圧計であり、（ａ）は使用時（装着時）の正面断面図、（ｂ）は不使用時（収納時）の正面断面図である。
【図２】第１実施形態の血圧計の使用直前の正面断面図である。
【図３】血圧計本体の内部構成図である。
【図４】直線形状の弾性体板であり、（ａ）は斜視図、（ｂ）は（ａ）のＡ−Ａ線断面図、（ｃ）は（ａ）のＢ−Ｂ線断面図である。
【図５】円弧形状の弾性体板であり、（ａ）は斜視図、（ｂ）は（ａ）のＣ−Ｃ線断面図、（ｃ）は（ａ）のＤ−Ｄ線断面図である。
【図６】本発明の第２実施形態の血圧計であり、（ａ）は血圧計本体の側面図、（ｂ）は不使用時（収納時）の正面断面図である。
【図７】本発明の第３実施形態の血圧計であり、（ａ）は不使用時（収納時）の正面断面図、（ｂ）は（ａ）の平面図、（ｃ）は使用時（装着時）の正面断面図である。
【図８】本発明の第４実施形態の血圧計であり、（ａ）は不使用時（収納時）の正面断面図、（ｂ）は使用時（装着時）の正面断面図である。
【図９】本発明の第５実施形態の血圧計であり、（ａ）は不使用時（収納時）の正面断面図、（ｂ）は使用時（装着時）の正面断面図である。
【図１０】弾性体板の変形例の平面図である。
【図１１】（ａ）（ｂ）は弾性体板の長さの例を示す正面断面図である。
【符号の説明】
【００５６】
１    手首（測定部位）
１０Ａ〜１０Ｅ  血圧計
１１  カフ帯
１２  血圧計本体
１３  阻血袋（検出部）
１５  弾性体板
３２  固定台
３４  送信側コイル
３５  供給源
【図１】
2006198280.tif 000003
【図２】
2006198280.tif 000004
【図３】
2006198280.tif 000005
【図４】
2006198280.tif 000006
【図５】
2006198280.tif 000007
【図６】
2006198280.tif 000008
【図７】
2006198280.tif 000009
【図８】
2006198280.tif 000010
【図９】
2006198280.tif 000011
【図１０】
2006198280.tif 000012
【図１１】
2006198280.tif 000013